(57)【特許請求の範囲】
【請求項１】
同一階において互いに隣接して配置された複数のサニタリー室と、
前記複数のサニタリー室に跨って延在し、前記複数のサニタリー室の水平方向一端部から他端部までを横幅とする外壁部と、
前記複数のサニタリー室それぞれの水平方向一端部から他端部に亘って設けられた窓部が柱を介在して帯状に連ねられて、前記外壁部の全横幅に亘って延在している連窓とを備え、
前記複数のサニタリー室の少なくとも一室の前記外壁部は、一対の柱を含み、前記外壁部の横幅方向に沿って広がる開口部付きの耐力壁によって構成されており、
前記サニタリー室の少なくとも一室の窓部は、前記耐力壁の一対の柱の間に位置する開口部に設けられ、
前記連窓は、前記複数のサニタリー室の水平方向一端部から他端部まで延びており、前記複数のサニタリー室の中央高さよりも天井側の位置に設けられ、高さ寸法が７０ｃｍ以下である、住宅。
【請求項２】
前記外壁部が正面側に配置されている、請求項１に記載の住宅。
【請求項３】
入隅部に玄関が配置されており、
前記外壁部は、玄関扉が設けられた第１の壁体と、前記第１の壁体よりも外方に位置し、前記複数のサニタリー室の水平方向一端部から他端部までを横幅とする第２の壁体とを含み、
前記連窓は、前記第２の壁体の全横幅に亘って延在している、請求項２に記載の住宅。
【請求項４】
前記耐力壁は、前記一対の柱に両端が接合される複数の梯子状ユニットをさらに含む耐力壁フレームによって構成されている、請求項１〜３のいずれかに記載の住宅。
【発明の詳細な説明】
【技術分野】
【０００１】
本発明は、住宅であって、特に、同一階において複数のサニタリー室が隣接して配置された住宅に関する。
【背景技術】
【０００２】
一般的に、北向きの住宅では、浴室やトイレといった複数のサニタリー室が、正面側において、隣接して配置されることが多い。たとえば特開２０００−８７５６９号公報（特許文献１）には、住宅の北に面して、玄関、浴室、トイレ、および洗面所が配置されることが開示されている。また、当該文献には、住宅の正面側から住宅内における部屋の配置を判別しにくくするために、浴室および洗面所を含め、北に面して配置された複数の部屋の北側壁面に、同一形状の小さな正方形の窓が設けられることが開示されている。
【０００３】
ところで、耐震性などの観点から、外壁の少なくとも一部を、耐力壁によって構成した住宅が存在する。このような住宅において外壁に窓を設ける場合、窓は、非耐力壁の部分に配置することが一般的である。
【０００４】
一方で、特開２０１４−６６０６４号公報（特許文献２）および特開２０１４−９８２５９号公報（特許文献３）に示されるように、耐力壁が配置される部分に開口部を設けられるようにした耐力壁フレームが提案されている。この耐力壁フレームは、一対の柱と、柱間に両端が接合された、たとえば梯子状の耐力ユニットとで構成されている。
【０００５】
また、特開２０１３−１４４９０９号公報（特許文献４）には、補強用面材によって補強された、開口部付き耐力壁が開示されている。
【先行技術文献】
【特許文献】
【０００６】
【特許文献１】特開２０００−８７５６９号公報
【特許文献２】特開２０１４−６６０６４号公報
【特許文献３】特開２０１４−９８２５９号公報
【特許文献４】特開２０１３−１４４９０９号公報
【発明の概要】
【発明が解決しようとする課題】
【０００７】
上記特許文献１では、住宅の正面側から住宅内における部屋の配置を判別しにくくするために、北側壁面に、同一形状の小さな窓が所々設けられている。これにより、居住者のプライバシーを保護することができる。しかし、この場合、北に面した各部屋の幅寸法に関わらず、同一形状の小さな窓が離れて設けられるため、住宅内への採光が少なくなるだけでなく、住宅そのものの印象が暗くなってしまう。
【０００８】
本発明は、上記のような課題を解決するためになされたものであって、その目的は、プライバシーの保護と意匠性の向上とを実現可能な住宅を提供することである。
【課題を解決するための手段】
【０００９】
この発明のある局面に従う住宅は、同一階において互いに隣接して配置された複数のサニタリー室と、複数のサニタリー室に跨って延在する外壁部と、外壁部に設けられ、複数のサニタリー室それぞれの窓部が帯状に連ねられた連窓とを備える。
【００１０】
好ましくは、連窓は、複数のサニタリー室の水平方向一端部から他端部まで延びている。
【００１１】
好ましくは、連窓は、複数のサニタリー室の中央高さよりも天井側の位置に設けられている。
【００１２】
好ましくは、外壁部が正面側に配置されている。
【００１３】
この場合、入隅部に玄関が配置されていてもよい。つまり、上記外壁部は、玄関扉が設けられた第１の壁体と、第１の壁体よりも外方に位置し、複数のサニタリー室の水平方向一端部から他端部までを横幅とする第２の壁体とを含んでいてもよい。この場合、連窓は、第２の壁体の全横幅に亘って延在していることが望ましい。
【００１４】
あるいは、上記外壁部は、複数のサニタリー室の水平方向一端部から他端部までを横幅としていてもよい。この場合、連窓は、上記外壁部の全横幅に亘って延在していてもよい。
【００１５】
好ましくは、上記外壁部の少なくとも一部は、外壁部の横幅方向に沿って広がる開口部付きの耐力壁によって構成される。この場合、複数の窓部の少なくとも一部は、耐力壁の開口部の位置に設けられていてもよい。
【００１６】
また、耐力壁は、一対の柱と、一対の柱に両端が接合される複数の梯子状ユニットとを含む耐力壁フレームによって構成されていてもよい。
【発明の効果】
【００１７】
本発明によれば、プライバシーの保護と意匠性の向上とを実現することができる。
【図面の簡単な説明】
【００１８】
【図１】本発明の実施の形態に係る住宅を正面側から見た外観図である。
【図２】本発明の実施の形態に係る住宅の１階部分の概略構成を示す平面図である。
【図３】本発明の実施の形態における耐力壁のフレーム構造を模式的に示す図である。
【図４】本発明の実施の形態の変形例１に係る住宅の１階部分の概略構成を示す平面図である。
【図５】本発明の実施の形態の変形例２に係る住宅の１階部分の概略構成を示す平面図である。
【図６】本発明の実施の形態の変形例３に係る住宅の１階部分の概略構成を示す平面図である。
【図７】公知の耐力壁フレームを示す図である。
【発明を実施するための形態】
【００１９】
本発明の実施の形態について図面を参照しながら詳細に説明する。なお、図中同一または相当部分には同一符号を付してその説明は繰返さない。
【００２０】
はじめに、図１および図２を参照して、本実施の形態に係る住宅１の概要について説明する。住宅１は、典型的には一戸建ての住宅である。住宅１は、たとえば、鉄骨系の２階建て建物であり、北向きである。
【００２１】
住宅１の外壁２は、住宅１の屋内空間を取り囲むように配置されている。具体的には、外壁２は、平面視において、たとえば略矩形形状に配置されている。この場合、外壁２は、平面視において住宅１の四辺をそれぞれ構成する４つの外壁部２１〜２４によって構成されている。これらのうち外壁部２１は、住宅１の正面側に配置されている。また、外壁部２２は、住宅１の一方の側面側に配置され、外壁部２３は、住宅１の他方の側面側に配置されている。外壁部２４は、住宅１の背面側に配置されている。
【００２２】
なお、住宅１の正面側とは、たとえば、玄関扉１１ａが設けられる側か、屋外の通路に面する側を表わしている。本実施の形態では、住宅１の玄関扉１１ａが、外壁部２１の１階部２１１における横幅方向一方端部側に設けられている。図１および図２には、外壁部２１の横幅方向が矢印Ａにて示されている。
【００２３】
住宅１においては、正面側の外壁部２１の屋内面に沿って、複数のサニタリー室３が設けられている。サニタリー室３は、主に衛生を目的とした水廻りの個室を表わす。本実施の形態では、３つのサニタリー室３、すなわち、浴室３１、洗面室３２、およびトイレ室３３が、外壁部２１の屋内面に沿って互いに隣接して配置されている。つまり、外壁部２１は、これらのサニタリー室３に跨って延在している。
【００２４】
これらのサニタリー室３は、住宅１の１階部分に位置している。つまり、サニタリー室３は、外壁部２１の１階部２１１に隣接して配置されている。この場合、たとえば浴室３１が、玄関（玄関ホール）１１に隣接して設けられている。また、洗面室３２は、浴室３１およびトイレ室３３の双方に隣接した状態で配置されている。トイレ室３３は、住宅１のコーナー部に配置されている。なお、浴室３１、洗面室３２、およびトイレ室３３の並びは、図２に示すような順に限定されない。また、洗面室３２は、脱衣所を兼ねていてもよい。
【００２５】
外壁部２１には、浴室３１、洗面室３２、およびトイレ室３３それぞれの窓部４１，４２，４３が設けられている。各窓部は、窓枠（サッシ）と、窓枠に嵌め込まれた窓とを含む。窓部４１〜４３の窓は、引き違い窓など、開閉可能な窓であることが望ましい。
【００２６】
ここで、本実施の形態では、図１に示されるように、これらの窓部４１〜４３は、帯状に連ねられて連窓４を構成している。つまり、サニタリー室３の窓部４１〜４３が、外壁部２１の横幅方向に沿って一列に、互いに隣接または近接して配置されている。より具体的には、窓部４１〜４３の高さ寸法が等しく、かつ、隣り合う窓部同士の窓枠が、隣接または近接した状態で配置されている。
【００２７】
連窓４（窓部４１〜４３）の高さ寸法は、一般的な小窓の高さ寸法以下である。具体的には、連窓４の高さ寸法は、７０ｃｍ以下であることが望ましく、さらに望ましくは５０ｃｍ以下である。また、連窓４は、複数のサニタリー室３の中央高さよりも天井側の位置であって、たとえば天井際の位置に設けられることが望ましい。この場合、サニタリー室３の窓部４１，４２，４３は、いわゆる高窓として機能する。このように連窓４が高い位置に設けられる場合、通行人の目線を避けることができる。また、浴室３１の湯気を窓部４１から排出することができる。なお、窓部４１〜４３の窓ガラスは、外部からの視線を遮断する機能を有していてもよい。
【００２８】
このように、浴室３１、洗面室３２、およびトイレ室３３それぞれの窓部４１，４２，４３を帯状の連窓４とすることにより、サニタリー室３が集中する北側の外壁部２１を、住宅１のファサードとして成り立たたせることができる。つまり、住宅１の正面の意匠性を向上させることができる。
【００２９】
また、本実施の形態のように北向きの住宅１の場合、住宅１の正面側に複数のサニタリー室が配置されることが多いが、連窓４の奥に位置する部屋が、サニタリー室であることを想像し難くすることができる。したがって、住宅１によれば、居住者のプライバシーを保護することもできる。
【００３０】
また、本実施の形態では、連窓４は、複数のサニタリー室３の水平方向一端部から他端部まで延びている。したがって、図１に示されるように、住宅１を正面から見た場合、外壁部２１の１階部２１１における、玄関扉１１ａ以外の部分を、連窓４によって上下方向に分断したような印象を与えることができる。その結果、住宅１のデザイン性を高めることができる。
【００３１】
図１に示されるように、住宅１の外壁部２１には、連窓４の上端縁に沿って、庇８が設けられていてもよい。これにより、連窓４の存在感を際立たせることができる。庇８は、玄関扉１１ａの上方位置にまで延びていてもよい。
【００３２】
また、図１に示されるように、住宅１の外壁部２１の２階部２１２、すなわち、サニタリー室３が設置された階と異なる階の外壁部にも、帯状に延在する連窓５が設けられてもよい。この場合、連窓５は、外壁部２１に沿う部屋の個数に関わらず、たとえば、外壁部２１の横幅方向一端部から他端部にまで延びている。
【００３３】
２階の連窓５の設置位置は、たとえば、１階の連窓４の設置位置と同じく、２階の部屋の天井付近に設けられていてもよい。また、連窓５の高さ寸法は、連窓４と同じ高さ寸法であってもよい。このように、正面側の外壁部２１の窓構成を、帯状の連窓４，５とすることで、住宅１のファサードを、より斬新なデザインとすることができる。
【００３４】
なお、本実施の形態では、連窓４（および５）を構成する窓部は、各階の部屋の天井高さ付近に設けられる高窓に相当することとしたが、限定的ではない。たとえば、各窓部は、各階の部屋の床面高さ付近に設けられた地窓に相当してもよいし、各階の部屋の中央高さ付近に設けられた腰高窓に相当してもよい。すなわち、連窓４は、各サニタリー室３の室内構成や住宅１の正面側の環境等に応じて、サニタリー室３の中央部や下端部に設けてもよい。
【００３５】
ところで、住宅１の構造強度を高く維持するためには、外壁２、すなわち外壁部２１〜２４は、部分的に耐力壁を有していることが望ましい。この場合、上記のような連窓４（および５）の配置を実現するために、正面側の外壁部２１の少なくとも一部は、外壁部２１の横幅方向に沿って広がる開口部付きの耐力壁によって構成されていてもよい。開口部付きの耐力壁は、たとえば特許文献２において提案されている公知の耐力壁フレームによって構成されていてもよい。公知の耐力壁フレームについて、図７を参照して簡単に説明する。
【００３６】
図７を参照して、耐力壁フレーム６は、互いに間隔をあけて設けられた一対の柱６１，６２と、柱６１，６２間に両端が接合された複数の梯子状ユニット６３とを含む。柱６１，６２の両端部は、梁などの躯体部６４，６５に接合される。具体的には、上側の躯体部６４は、梁であり、下側の躯体部６５は、梁、基礎、または基礎上に配置された土台である。
【００３７】
各梯子状ユニット６３は、耐力ユニットとして機能し、上下に離れた一対の横桟６３１，６３２と、これら横桟６３１，６３２に接合された複数の縦桟６３４とを有している。横桟６３１，６３２間に設けられた複数の縦桟６３４は、せん断力負担部材６３３を構成している。
【００３８】
一対の柱６１，６２間において、たとえば３つの梯子状ユニット６３が、上端部、下端部、および中央部にそれぞれ設けられる場合、左右の柱６１，６２と、上下方向に隣り合う梯子状ユニット６３とで囲まれる領域に、開口部６０が形成されている。
【００３９】
住宅１の外壁部２１には、このような耐力壁フレーム６により構成された、開口部６０付きの耐力壁が部分的に配置されている。この場合における、外壁部２１の１階部２１１のフレーム構造例について、図３を参照して説明する。
【００４０】
図３を参照して、外壁部２１の１階部２１１においては、たとえば洗面室３２の位置に、耐力壁フレーム６により構成される耐力壁７１が配置され、他の浴室３１およびトイレ室３３の位置には非耐力壁７２が配置されている。この場合、洗面室３２の窓部４２は、耐力壁７１の開口部６０の位置に設けられる。つまり、洗面室３２の窓部４２の窓枠が、開口部６０の周囲に取付けられる。したがって、窓部４２を含めた連窓４の高さ寸法は、開口部６０の高さ寸法と略等しい。
【００４１】
図１に示すように連窓４をサニタリー室３の天井付近に設ける場合には、耐力壁フレーム６の複数の梯子状ユニット６３は、１対の柱６１，６２と躯体部６４，６５とで囲まれる領域のうち、上端部を除く領域に配置される。これにより、左右の柱６１，６２と、躯体部６４と、上端側に位置する梯子状ユニット６３とで囲まれる領域に、開口部６０を形成することができる。このような耐力壁フレーム６を用いる場合、上下方向における梯子状ユニット６３の配置位置を調整するだけで、連窓４を所望の高さに配置することができる。
【００４２】
なお、梯子状ユニット６３は、上記特許文献３に開示されたような荷重伝達ユニットとして機能してもよい。また、１対の柱６１，６２間において上下方向に間隔をあけて配置されるユニットは、耐震性および制震性の少なくとも一方を満たすことができれば梯子状のものに限定されない。また、耐力壁の構造は、１対の柱６１，６２間に複数のユニットが設けられるものに限定されず、たとえば上記特許文献４に示されるように、開口部以外の部分が、補強用面材によって補強された構造であってもよい。
【００４３】
以上説明した実施の形態では、図２に示したように、玄関１１に隣接して複数のサニタリー室３が設けられた例を示したが、サニタリー室３の配置位置は、上記のような例に限定されない。サニタリー室３の他の配置例を、変形例として以下に説明する。
【００４４】
（変形例１）
図４は、本実施の形態の変形例１に係る住宅１Ａの１階部分の概略構成を示す平面図である。
【００４５】
図４を参照して、住宅１Ａの玄関１１は、入隅部に形成されている。すなわち、外壁２の正面側の外壁部２１は、玄関扉１１ａが設けられた第１の壁体２１ａと、第１の壁体２１ａよりも外方（正面方向）に位置し、複数のサニタリー室３の水平方向一端部から他端部までを横幅とする第２の壁体２１ｂとを含む。
【００４６】
この場合、連窓４は、第２の壁体２１ｂの横幅方向一端部から他端部にまで、第２の壁体２１ｂの全横幅に亘って延在する。したがって、本変形例によれば、住宅１Ａの正面側の印象を、よりデザイン性のある独創的な印象とすることができる。
【００４７】
（変形例２）
図５は、本実施の形態の変形例２に係る住宅１Ｂの１階部分の概略構成を示す平面図である。
【００４８】
図５を参照して、住宅１Ｂでは、トイレ室３３は、正面側の外壁部２１に窓部４３ａを有しているだけでなく、外壁部２１に隣接する側面側の外壁部２３にも窓部４３ｂを有している。外壁部２３の窓部４３ｂは、窓部４１，４２，４３ａによって構成される正面側の連窓４と同じ高さ寸法であり、連窓４と連続的に配置されている。つまり、住宅１Ｂでは、側方の窓部４３ｂも含めて、平面視においてＬ字状の連窓が設けられている。これにより、住宅１Ｂの意匠性をより向上させることができる。
【００４９】
なお、この場合、正面側の連窓４と側面側の窓部４３ｂとの一体感を出すために、連窓４の高さ範囲において、外壁部２１と外壁部２２との連結部分のコーナーカバーの色を、各窓部のサッシと同じ色にしてもよい。
【００５０】
（変形例３）
図６は、本実施の形態の変形例３に係る住宅１Ｃの１階部分の概略構成を示す平面図である。
【００５１】
図６を参照して、住宅１Ｃでは、玄関１１とサニタリー室３との間に、たとえば廊下１２などの非居室が配置されている。この例では、廊下１２に隣接して洗面室３２が設けられ、洗面室３２に隣接して浴室３１が設けられている。浴室３１は、住宅１Ｃのコーナー部に配置されている。
【００５２】
本変形例では、外壁部２１には、廊下１２の部分にも窓部４４が設けられており、廊下１２の窓部４４と、洗面室３２および浴室３１の窓部４２，４１とで、連窓４ａが形成されている。このように、外壁部２１側に、玄関１１およびサニタリー室３以外に、非居室などの部屋が配置される場合にも、各部屋の窓部を連窓４ａとすることで、プライバシーの保護と意匠性の向上とを図ることができる。
【００５３】
上記実施の形態および各変形例では、複数のサニタリー室３は、住宅の１階部分に設けられることとしたが、同一階であれば、２階など上階部分に設けられてもよい。この場合、正面側の外壁部２１の全横幅に亘って複数のサニタリー室３が配置されてもよい。言い換えると、外壁部２１は、複数のサニタリー室３の水平方向一端部から他端部までを横幅としていてもよい。これにより、図１に示した連窓５のように、サニタリー室３の連窓によって、外壁部２１を上下方向に分断したようなデザインとすることができる。
【００５４】
また、上記実施の形態および各変形例では、住宅は北向きであることとしたが、限定的ではない。また、住宅が北向きでないような場合には特に、複数のサニタリー室３は、住宅の正面側の外壁部２１ではなく、側面側の外壁部２２，２３または背面側の外壁部２４に沿って配置されてもよい。
【００５５】
また、以上説明した各変形例を組み合わせてもよい。
【００５６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５７】
１  住宅、２  外壁、３  サニタリー室、４，４ａ，５  連窓、６  耐力壁フレーム、８  庇、１１  玄関、１１ａ  玄関扉、１２  廊下、２１〜２４  外壁部、２１ａ  第１の壁体、２１ｂ  第２の壁体、３１  浴室、３２  洗面室、３３  トイレ室、４１〜４３，４３ａ，４３ｂ，４４  窓部、６０  開口部、６１，６２  柱、６３  梯子状ユニット、６４，６５  躯体部、７１  耐力壁、７２  非耐力壁、６３１，６３２  横桟、６３３  せん断力負担部材、６３４  縦桟。
【図１】
0006730782.tif 000002
【図２】
0006730782.tif 000003
【図３】
0006730782.tif 000004
【図４】
0006730782.tif 000005
【図５】
0006730782.tif 000006
【図６】
0006730782.tif 000007
【図７】
0006730782.tif 000008